(57)【要約】【課題】  対物レンズが搭載されているレンズホルダーの傾きを補正するために適した支持装置を提供する。【解決手段】  対物レンズ１が搭載されているとともに一端が印刷配線基板８に半田にて固定されている４本の支持ワイヤーによって対物レンズ１の光軸方向及び光軸方向に直交する方向である光ディスクの径方向への変位を可能に支持されたレンズホルダー２を備え、光ディスクの内周側に配置されている２本の支持ワイヤーの有効可動長を外周側に配置されている２本の支持ワイヤーの有効可動長より短くする。【選択図】  図１
2008310916.tif 000002
【特許請求の範囲】
【請求項１】
対物レンズが搭載されているとともに一端が印刷配線基板に半田にて固定されている４本の支持ワイヤーによって対物レンズの光軸方向及び光軸方向に直交する方向である光ディスクの径方向への変位を可能に支持されたレンズホルダーを備えた光ピックアップ装置であり、光ディスクの内周側に配置されている２本の支持ワイヤーの有効可動長を外周側に配置されている２本の支持ワイヤーの有効可動長より短くしたことを特徴とする光ピックアップ装置のレンズホルダー支持装置。
【請求項２】
４本の支持ワイヤーの長さ、径及び材質を全て同一にしたことを特徴とする請求項１に記載のレンズホルダー支持装置。
【請求項３】
支持ワイヤーが挿通されるとともに制振動作を行うダンプ材が装填される装填部が形成されているサポート部材により支持ワイヤーの有効可動長を設定するようにしたことを特徴とする請求項２に記載のレンズホルダー支持装置。
【請求項４】
装填部の深さによって有効可動長を設定するようにしたことを特徴とする請求項３に記載のレンズホルダー支持装置。
【請求項５】
支持ワイヤーの端部を装填部に接着固定することによって有効可動長を設定するようにしたことを特徴とする請求項３に記載のレンズホルダー支持装置。
【発明の詳細な説明】
【技術分野】
【０００１】
本発明は、光ディスクに記録されている信号の読み出し動作を行う光ピックアップ装置に関し、特に対物レンズが搭載されているレンズホルダーの支持装置に係る。
【背景技術】
【０００２】
光ピックアップ装置から照射されるレーザー光を光ディスクに設けられている信号記録層に照射することによって信号の読み出し動作を行うことが出来る光ディスク装置が普及している。
【０００３】
光ディスク装置としては、ＣＤ規格と呼ばれる光ディスクを使用するものが一般的であるが、最近ではＤＶＤ規格と呼ばれる光ディスクを使用するものが普及している。斯かるＤＶＤ規格の光ディスクは、ＣＤ規格の光ディスクと比較して信号の記録密度が高いので、光ピックアップ装置としての読み取り特性等の向上が要求されている。
【０００４】
光ピックアップ装置では、周知のようにレーザーダイオード等から放射されるレーザー光を光ディスクに設けられている信号記録層に集光させる対物レンズを備えており、斯かる対物レンズは光ディスクの信号面に対して直角方向、即ち対物レンズの光軸方向及び光ディスクの径方向、即ち光軸方向に直交する方向への変位を行うことが出来るように構成されている。
【０００５】
前述した対物レンズの光軸方向、一般的にはフォーカス方向と呼ばれる方向への変位動作は、フォーカシング制御動作と呼ばれる駆動制御動作によって行われ、光軸方向に直交する方向、一般的にはトラッキング方向と呼ばれる方向への変位動作は、トラッキング制御動作と呼ばれる駆動制御動作によって行われる。
【０００６】
前述した対物レンズのフォーカス方向及びトラッキング方向への変位動作を行うために複数、一般的には４本の支持ワイヤーによって支持されたレンズホルダーと呼ばれる部材に対物レンズは搭載されている。
【０００７】
斯かるレンズホルダー支持装置の一般的な構成について、図２に示す平面図、図３に示す側面図及び図４に示す正面図を参照にして説明する。図において、１は対物レンズであり、レンズホルダー２の上面中央部に固定搭載されている。前記レンズホルダー２に搭載されている対物レンズ１の下方(図３において)には光ピックアップ装置を構成する固定基板に組み込まれているレーザーダイオードから放射されるレーザー光を該対物レンズ１に導く光学部品が周知のように配置されている。
【０００８】
また、前記レンズホルダー２の側面等には、該レンズホルダー２をフォーカス方向へ変位させる駆動力を生成するフォーカシングコイル(図示せず)及び該レンズホルダー２をトラッキング方向へ変位させる駆動力を生成するトラッキングコイル(図示せず)が周知のように固装されている。
【０００９】
３は金属製のフレームであり、前記レンズホルダー２を挟んで配置される一対のマグネット４、５が固着されるヨーク３ａ、３ｂ及び一対のマグネット６、７が固着されるヨーク３ｃ、３ｄが一体的に形成されている。斯かるマグネット４、５、６、７から生成される磁束と前記レンズホルダー２に固装されているフォーカシングコイル及びトラッキングコイルへ制御電流が供給されることによって発生する磁束との協働により生成される変位力によってレンズホルダー２はフォーカシング方向及びトラッキング方向に変位せしめら
れるように構成されている。
【００１０】
８は前記レンズホルダー２に固装されているフォーカシングコイル及びトラッキングコイルへ駆動信号を供給するパターンが形成されている印刷配線基板、９は合成樹脂にて成型されているサポート部材であり、前記印刷配線基板８と共に螺子１０によって前記フレーム３に固定されている。
【００１１】
１１、１２、１３及び１４は前記レンズホルダー２をフォーカス方向への変位動作及びトラッキング方向への変位動作を可能に支持するべく設けられているとともに前記フォーカシングコイル及びトラッキングコイルへ駆動信号を供給するべく設けられている金属製の第１、第２、第３及び第４支持ワイヤーであり、各々の一端１１ａ、１２ａ、１３ａ及び１４ａは前記レンズホルダー２に設けられている固定用突起２ａ、２ｂ、２ｃ及び２ｄにて前記フォーカシングコイル及びトラッキングコイルと電気的に接続されるとともに該レンズホルダー２を支持するべく固定されている。
【００１２】
１５及び１６は前記サポート部材９に形成されているとともに前記第１支持ワイヤー１１及び第３支持ワイヤー１３の一端が挿通される装填部であり、制振動作を行うダンプ材Ｄが装填されている。第１支持ワイヤー１１及び第３支持ワイヤー１３が挿通される装填部１５及び１６について説明したが、第２支持ワイヤー１２及び第４支持ワイヤー１４が挿通される装填部も同様に前記サポート部材９に形成されているとともにダンプ材Ｄも同様に装填されている。
【００１３】
前記第１支持ワイヤー１１の固定端１１ｂは、前記サポート部材９に形成されている装填部１５を挿通した状態にて前記印刷配線基板８に設けられているパターンに半田付けされて固定される。同様に第３支持ワイヤー１３の固定端１３ｂは、前記サポート部材９に形成されている装填部１６を挿通した状態にて前記印刷配線基板８に設けられているパターンに半田付けされて固定される。また、図３に示すように第４支持ワイヤー１４の固定端１４ｂも前記印刷配線基板８に設けられているパターンに半田付けされて固定される。そして、斯かる印刷配線基板８への第２支持ワイヤー１２の固定端子の固定動作も同様に行われる。
【００１４】
前述した構成によれば、レンズホルダー２は印刷配線基板８に形成されているパターンに固定端が半田付けされている４本の支持ワイヤー１１、１２、１３及び１４によってフォーカス方向及びトラッキング方向への変位動作を可能に支持され、前記支持ワイヤー１１、１２、１３及び１４を介してフォーカシングコイル及びトラッキングコイルへ供給される制御電流による変位動作によってフォーカス制御動作及びトラッキング制御動作が行われることになる。
【００１５】
そして、前述した制御動作が行われるとき、周知のようにサポート部材９に形成されている装填部に装填されているダンプ材Ｄによって不要な振動を抑える動作が行われることになる。
【００１６】
斯かる構成のレンズホルダー支持装置が組み込まれた光ピックアップ装置によって光ディスクに記録されている信号の再生動作等を行う場合には、前述したフォーカス制御動作及びトラッキング制御動作を行うためにレンズホルダー２の変位動作が行われることになる。フォーカス制御動作によってレンズホルダー２のフォーカス方向への変位動作は行われるが、レンズホルダーの変位動作はディスク面が正しい位置、即ち光軸がディスク面に対して垂直な関係にあることを想定して行われるので、光ディスクの面が反っている場合には対物レンズ１の光軸がずれることになる。
【００１７】
斯かる光軸のずれを補正する方法としてチルト調整動作を行うためのチルトコイルをレンズホルダーに設け、該チルトコイルに駆動信号を供給することによって傾きの補正動作を行うように構成された光ピックアップ装置が開発されている。しかしながら、斯かる構成の光ピックアップ装置は、構成が複雑になるだけでなく高価になるという問題がある。
【００１８】
斯かる問題を解決する方法としてレンズホルダーを支持する４本の支持ワイヤーの中の外周側にある２本の支持ワイヤーのコンプライアンスを内周側にある２本の支持ワイヤーより大きくする方法が開発されている。（特許文献１参照。）
【特許文献１】特開２００３−２２８８６４号公報
【発明の開示】
【発明が解決しようとする課題】
【００１９】
前述した特許文献には、レンズホルダーを支持する４本の支持ワイヤーの中の外周側にある２本の支持ワイヤーのコンプライアンスを内周側にある２本の支持ワイヤーより大きくするために内周側と外周側に配置されている支持ワイヤーの径を相違させたり、支持ワイヤーの材質を相違させたり、支持ワイヤー間のピッチを相違させる技術が記載されている。
【００２０】
斯かる技術において、支持ワイヤーの径を相違させる方法では、径の異なる２つの支持ワイヤーを必要とするため高価になるだけでなく、径の寸法が正確になるように製造する必要があるので、製造価格が高くなるという問題がある。また、同様に支持ワイヤーの材質を相違させる方法も高価になるという問題がある。更に、支持ワイヤー間のピッチを相違させる方法は、レンズホルダーの支持がアンバランスになるため設計が困難であるという問題がある。
【００２１】
本発明は、斯かる問題を解決したレンズホルダー支持装置を提供しようとするものである。
【課題を解決するための手段】
【００２２】
本発明は、対物レンズが搭載されているとともに一端が印刷配線基板に半田にて固定されている４本の支持ワイヤーによって対物レンズの光軸方向及び光軸方向に直交する方向である光ディスクの径方向への変位を可能に支持されたレンズホルダーを備え、光ディスクの内周側に配置されている２本の支持ワイヤーの有効可動長を外周側に配置されている２本の支持ワイヤーの有効可動長より短くしたことを特徴とするものである。
【００２３】
また、本発明は、４本の支持ワイヤーの長さ、径及び材質を全て同一にしたことを特徴とするものである。
【００２４】
そして、本発明は、支持ワイヤーが挿通されるとともに制振動作を行うダンプ材が装填される装填部が形成されているサポート部材により支持ワイヤーの有効可動長を設定するようにしたことを特徴とするものである。
【００２５】
また、本発明は、ダンプ材が装填される装填部の深さによって有効可動長を設定するようにしたことを特徴とするものである。
【００２６】
そして、本発明は、支持ワイヤーの端部を装填部に接着固定することによって有効可動長を設定するようにしたことを特徴とするものである。
【発明の効果】
【００２７】
本発明のレンズホルダー支持装置は、対物レンズが搭載されているとともに一端が印刷
配線基板に半田にて固定されている４本の支持ワイヤーによって対物レンズの光軸方向及び光軸方向に直交する方向である光ディスクの径方向への変位を可能に支持されたレンズホルダーを備え、光ディスクの内周側に配置されている２本の支持ワイヤーの有効可動長を外周側に配置されている２本の支持ワイヤーの有効可動長より短くしたので、外周側に配置されている支持ワイヤーのコンプライアンスが高くなり、その結果光ディスクに反りがあっても正確なフォーカス制御のための変位動作を行うことが出来る。
【００２８】
また、本発明のレンズホルダー支持装置は、４本の支持ワイヤーの長さ、径及び材質を全て同一にしたので、製造価格の上昇を招くことがないという利点を有しており、大量生産する場合に非常に大きな効果を奏するものである。
【００２９】
そして、本発明のレンズホルダー支持装置は、支持ワイヤーが挿通されるとともに制振動作を行うダンプ材が装填される装填部が形成されているサポート部材により支持ワイヤーの有効可動長を設定するようにしたので、構成が簡単になるという利点を有している。
【００３０】
また、本発明のレンズホルダー支持装置は、支持ワイヤーの端部を装填部に接着固定することによって有効可動長を設定するようにしたので、組み立て作業が簡単になるという利点を有している。
【実施例】
【００３１】
図１は本発明に係るレンズホルダー支持装置の一実施例を示す平面図であり、図２に示した従来例と同一の部材には同一の符号を付している。
【００３２】
本発明のレンズホルダー支持装置は、４本の支持ワイヤーである第１支持ワイヤー１１、第２支持ワイヤー１２、第３支持ワイヤー１３及び第４支持ワイヤー１４として、長さ、径及び材質を全て同一にするとともに内周側の支持ワイヤーである第３支持ワイヤー１３及び第４支持ワイヤー１４が挿通されるダンプ材Ｄが装填される装填部１６の挿通方向の深さを浅くしたことを特徴とするものである。
【００３３】
図１より明らかなように本発明における内周側の支持ワイヤー１３、１４が挿通される装填部１６の深さは、図２に示した従来例と比較して浅くなるように構成されている。
【００３４】
第３支持ワイヤー１３の固定端１３ｂは印刷配線基板８に半田付けによって固定されているが、その手前の部分である固定端部１３ｃは装填部１６を形成する固定部１６Ａによってその可動範囲が規制されるべく固定されている。即ち、前記固定部１６Ａによって第３支持ワイヤー１３の可動支点が図２に示した従来例と比較して短くなる方向に移動されているので、第３支持ワイヤー１３の有効可動長は短くなる。同様に第４支持ワイヤー１４の有効可動長も短くなるように構成されている。
【００３５】
このように内周側にある第３支持ワイヤー１３及び第４支持ワイヤー１４の有効可動長が外周側にある第１支持ワイヤー１１及び第２支持ワイヤー１２の有効可動長より短くなるので、外周側の支持ワイヤーである第１支持ワイヤー１１及び第２支持ワイヤー１２のコンプライアンスの方が内周側の支持ワイヤーである第３支持ワイヤー１３及び第４支持ワイヤー１４のコンプライアンスより大きくなる。
【００３６】
従って、斯かる構成によれば、光ディスクに反りがあってもその反りに適応したフォーカス制御動作を行うために適したレンズホルダー２の変位動作を行うことが出来る。
【００３７】
尚、本実施例では、内周側の支持ワイヤーである第３支持ワイヤー１３及び第４支持ワイヤー１４の有効可動長をダンプ材が装填される装填部の深さにて設定するようにしたの
で、合成樹脂にてサポート部材９を成型すれば価格上昇を招くことなく製造することが出来る。
【００３８】
また、内周側の支持ワイヤーである第３支持ワイヤー１３及び第４支持ワイヤー１４の有効可動長をダンプ材が装填される装填部の深さにて設定するようにしたが、ダンプ材Ｄを装填する前に紫外線硬化型の接着剤にて前述した固定端部１３ｃを接着固定することによって有効可動長を変更設定するように構成することも出来る。
【図面の簡単な説明】
【００３９】
【図１】本発明に係るレンズホルダー支持装置を示す要部の平面図である。
【図２】レンズホルダー支持装置の従来例を示す要部の平面図である。
【図３】レンズホルダー支持装置を示す要部の側面図である。
【図４】レンズホルダー支持装置を示す要部の正面図である。
【符号の説明】
【００４０】
１      対物レンズ
２      レンズホルダー
３      フレーム
８      印刷配線基板
９      サポート部材
１１    第１支持ワイヤー
１２    第２支持ワイヤー
１３    第３支持ワイヤー
１４    第４支持ワイヤー
１５、１６    装填部
１６Ａ    固定部
【図１】
2008310916.tif 000003
【図２】
2008310916.tif 000004
【図３】
2008310916.tif 000005
【図４】
2008310916.tif 000006